(57)【要約】      （修正有）【課題】小型民生電子装置用のロータリーダンパであって、全体寸法が小さく、装置に対する確実な取付けを担保し得るロータリーダンパを提供する。【解決手段】ロータリーダンパ１００は，減衰流体を収める略円形断面のハウジング１０２と，ハウジング１０２をカバーするキャップ１０４と，第１端及び第２端を有し，第１端が平歯車１０８を収めるように構成され，第２端がキャップ１０４を通過して減衰流体内まで延在するシャフト１０６と，を備える。ハウジング１０２の外面は、取付け用ファスナを受け入れるための貫通孔１１２を有するタブ１１０を備え，該タブ１１０は，シャフト１０６の長手軸線に対して半径方向に延在する。少なくとも１つの係合ラグ１１４、１１６がシャフト１０６の長手軸線に対して半径方向に延在し，該係合ラグ１１４、１１６は，民生電子装置における対応する突部と係合することにより，使用時におけるロータリーダンパの取付け用ファスナに対する回転運動を防止又は抑制する。【選択図】図１
0003221115.tif 000002
【実用新案登録請求の範囲】
【請求項１】
民生電子装置用のロータリーダンパであって：
減衰流体を収める略円形断面のハウジングと；
ハウジングをカバーするキャップと；
第１端及び第２端を有し，第１端が平歯車を収めるように構成され，第２端がキャップを通過して減衰流体内まで延在するシャフトと，を備え；
該ハウジングはその外面が：
・取付け用ファスナを受け入れるための貫通孔を有するタブを備え，該タブは，シャフトの長手方向軸線に対して半径方向に延在し；
・少なくとも３つの係合ラグがシャフトの長手軸線に対して半径方向に延在し，該係合ラグは，民生電子装置における対応する突部と係合することにより，使用時におけるロータリーダンパの取付け用ファスナに対する回転運動を防止又は抑制する，ロータリーダンパ。
【請求項２】
請求項１に記載のロータリーダンパであって，前記タブ及び前記係合ラグが，前記ハウジングと一体的に形成されている，ロータリーダンパ。
【請求項３】
請求項１又は２に記載のロータリーダンパであって，前記ラグは，長辺が前記ハウジングの周方向に配置される伸長形状である，ロータリーダンパ。
【請求項４】
請求項３に記載のロータリーダンパであって，前記係合ラグの短辺に対する長辺の比が，約２〜約５であり，好適には約２．５〜約３．５である，ロータリーダンパ。
【請求項５】
請求項１〜４の何れか一項に記載のロータリーダンパであって，前記係合ラグは，前記ハウジングの半径の約５％〜約２０％だけ，該ハウジングから突出する，ロータリーダンパ。
【請求項６】
請求項５に記載のロータリーダンパであって，前記係合ラグは，前記ハウジングの半径の約７．５％〜約１２．５％だけ突出する，ロータリーダンパ。
【請求項７】
請求項１〜６の何れか一項に記載のロータリーダンパであって，前記ハウジングの半径は，約３ｍｍ〜約１０ｍｍである，ロータリーダンパ。
【請求項８】
請求項１〜７の何れか一項に記載のロータリーダンパであって，前記ハウジングの半径は，約４ｍｍ〜約６ｍｍである，ロータリーダンパ。
【請求項９】
請求項１〜８の何れか一項に記載のロータリーダンパであって，前記シャフトの長手軸線方向における前記係合ラグの高さが，前記ハウジングの高さの約２５％〜１００％である，ロータリーダンパ。
【請求項１０】
請求項９に記載のロータリーダンパであって，前記シャフトの長手軸線方向における前記係合ラグの高さが，前記ハウジングの高さの約４０％〜６０％である，ロータリーダンパ。
【請求項１１】
請求項１〜１０の何れか一項に記載のロータリーダンパであって，前記タブにおける貫通孔が，皿孔ファスナを受け入れる皿孔である，ロータリーダンパ。
【請求項１２】
請求項１〜１１の何れか一項に記載のロータリーダンパであって，前記シャフトが，平歯車上のキー溝と係合させるための少なくとも１つのキーを有する，ロータリーダンパ。
【請求項１３】
請求項１〜１２の何れか一項に記載のロータリーダンパであって，前記シャフトの第１端に結合する平歯車を更に備える，ロータリーダンパ。
【請求項１４】
請求項１３に記載のロータリーダンパであって，前記平歯車がインボリュート歯型を有する，ロータリーダンパ。
【請求項１５】
請求項１〜１４の何れか一項に記載のロータリーダンパであって，前記ハウジングが熱可塑性材料，好適にはポリカーボネート材料，更に好適には９４ＨＢポリカーボネートで形成されている，ロータリーダンパ。
【請求項１６】
請求項１〜１５の何れか一項に記載のロータリーダンパであって，前記ハウジングが熱可塑性材料，好適にはポリオキシメチレン材料，更に好適には９４ＨＢポリオキシメチレンで形成されている，ロータリーダンパ。
【請求項１７】
図１〜５を参照して記載されたロータリーダンパ。
【考案の詳細な説明】
【技術分野】
【０００１】
本考案は，民生電子装置用の，位置決めラグを有するロータリーダンパに関するものである。このダンパは，特に，小型民生電子装置における運動制御素子又は可動素子としての使用に関連する。
【背景技術】
【０００２】
民生電子装置用としてのロータリーダンパは，当業界において既知である。このような既知のロータリーダンパは，使用の間，ロータリーダンパと，それが取り付けられた装置との間における相対運動を全く，又は僅かしか生じさせないための確実な取付けを必要とする。これにより，ロータリーダンパを効果的に作動させることが可能である。従って，既知のダンパには，ねじ等で構成されるファスナのための複数の取付け位置が設けられている。これら複数の取付け位置により，ダンパの全体寸法が顕著に増加する可能性がある。より小型化され，更に複雑化した民生電子装置に取付ける場合，既知のダンパは問題を生じかねない。
【考案の概要】
【０００３】
従って，本考案の課題は，同様の用途に使用する従来のダンパと対比して全体寸法が小さく，しかも装置に対する確実な取付けを担保し得るロータリーダンパを提供することである。
【０００４】
本考案の一態様において提供される，民生電子装置用のロータリーダンパは：減衰流体を収める略円形断面のハウジングと；ハウジングをカバーするキャップと；第１端及び第２端を有し，第１端が平歯車を収めるように構成され，第２端がキャップを通過して減衰流体内まで延在するシャフトと；を備える。ハウジングの外面は：取付け用ファスナを受け入れるための貫通孔を有するタブを備え，該タブは，シャフトの長手軸線に対して半径方向に延在する。少なくとも１つの係合ラグがシャフトの長手軸線に対して半径方向に延在し，該係合ラグは，民生電子装置における対応する突部と係合することにより，使用時におけるロータリーダンパの取付け用ファスナに対する回転運動を防止又は抑制する。
【０００５】
有利な点として，少なくとも１つの係合ラグと協働する取付けファスナを受け入れる単一のタブを設けることにより，ロータリーダンパを民生電子装置に確実に取付けることができ，しかもダンパの全体寸法を減少させることが可能である。加えて，材料使用量の減少によりコストが低減でき，これにより，大量の部品を製造する場合に顕著な節約が期待できる。
【０００６】
タブは，民生電子装置の表面における対応する少なくとも１つの突部により受入れられる構成とすることができる。一実施例において，対応する突部は，各係合ラグの自由縁部周りに延在するＣ字形状突部である。他の実施例において，対応する突部は，係合ラグの各側に配置される２つの突部で形成される。
【０００７】
好適には，タブ及び係合ラグは，ハウジングと一体的に形成される。
【０００８】
好適には，ロータリーダンパのハウジングは，シャフトの長手軸線に対して半径方向に延在する２つ以上の係合ラグを備える。言うまでもなく，各ラグ及びタブは，好適にはハウジング周りで周方向に配置される。特に好適な実施形態において，ロータリーダンパのハウジングは，シャフトの長手軸線に対して半径方向に延在する３つの係合ラグを備える。
【０００９】
ロータリーダンパが３つの係合ラグを備える場合，ラグは，ハウジング周りでタブから測って約４５°及び約３１５°の間に配置することができる。本明細書に記載するとおり，タブは，０°に配置するものと想定する。係合ラグは，上記の角度範囲内においてハウジング周りで等間隔に配置することができる。代替的に，係合ラグは，上記の角度範囲内においてハウジング周りで不等間隔に配置することもできる。第１係合ラグはハウジング上で約４５°及び約１３５°の位置に配置することができ，第２係合ラグはハウジング上で約９０°及び約２７０°の位置に配置することができ，第３係合ラグはハウジング上で約２２５°及び約３１５°の位置に配置することができる。特定の実施形態において，第１係合ラグはハウジング上で約１０５°の位置に配置され，第２係合ラグはハウジング上で約１９５°の位置に配置され，第３係合ラグはハウジング上で約３００°の位置に配置される。
【００１０】
複数の係合ラグを備えることにより，ロータリーダンパの全体寸法を増加させることなく，取付けの確実性を更に改善することができる。係合ラグは，ファスナを使用して民生電子装置に取り付けられている間に，ロータリーダンパを保持する構成とすることができる。係合ラグは，民生電子装置における対応する突部と締り嵌めを形成して，装置に対してロータリーダンパをより容易に取付け可能とする構成とすることができる。言うまでもなく，締り嵌めは，それのみによってダンパを所定位置に位置決め及び仮止め可能とするものであり，他方，取付けファスナはダンパを装置に恒久的に取付けるために使用される。
【００１１】
係合ラグは，好適には１つの表面がハウジングの底面と実質的に共面となるように設けられる。ハウジングの底面は，キャップとは反対側の表面である。
【００１２】
ラグは，長辺がハウジングの周方向に配置される伸長形状とすることができる。係合ラグの短辺に対する長辺の比は，約２〜約５，好適には約２．５〜約３．５とすることができる。特定の実施形態において，この比は約３である。伸長形状のラグをこのような態様で配置すれば，ダンパの全体寸法を最小化することができる。
【００１３】
係合ラグは，ハウジングの半径の約５％〜約２０％だけ，該ハウジングから突出する構成とすることができる。係合ラグは，ハウジングの半径の約７．５％〜約１２．５％だけ突出する構成とすることができる。特定の実施形態において，係合ラグは，ハウジングの半径の約１０％だけ突出する。このような寸法を有するラグを設ければ，ダンパの全体寸法を最小化することができる。
【００１４】
ハウジングの半径は，約３ｍｍ〜約１０ｍｍとすることができる。ハウジングの半径は，約４ｍｍ〜約６ｍｍとすることができる。特定の実施形態において，ハウジングの半径は，約５ｍである。
【００１５】
シャフトの長手軸線方向における係合ラグの高さは，ハウジングの高さの約２５％〜１００％とすることができる。シャフトの長手軸線方向における係合ラグの高さは，ハウジングの高さの約４０％〜６０％とすることができる。特定の実施形態において，シャフトの長手軸線方向における係合ラグの高さは，ハウジングの高さの約５０％である。
【００１６】
タブにおける貫通孔は，好適には，皿孔ファスナを受け入れる皿孔である。有利な点として，このような配置は，民生電子装置に取付けたときのダンパの全体寸法を更に減少するものである。
【００１７】
代替的に，タブにおける貫通孔は，矩形頭部を有するファスナ，例えばソケットヘッドキャップねじを受け入れるための座グリ孔で構成することもできる。
【００１８】
シャフトは，平歯車上のキー溝と係合させるための少なくとも１つのキーを有する構成とすることができる。
【００１９】
ロータリーダンパは，シャフトの第１端に結合する平歯車を更に備えることができる。平歯車は，インボリュート歯型を有することができる。平歯車は，熱可塑性材料，好適にはポリオキシメチレン材料，更に好適には９４ＨＢ３０ポリオキシメチレンで形成することができる。
【００２０】
ハウジングは熱可塑性材料，好適にはポリカーボネート材料，更に好適には９４ＨＢポリカーボネートで形成することができる。キャップは熱可塑性材料，好適にはポリカーボネート材料，更に好適には９４ＨＢポリカーボネートで形成することができる。
【００２１】
シャフトは熱可塑性材料，好適にはポリカーボネート材料，更に好適には９４ＨＢポリカーボネートで形成することができる。
【００２２】
本考案の一態様における何れの特徴も，本考案の他の態様に対して，任意かつ適宜の組み合わせをもって適用することができる。
更に，一態様における何れかの，幾つかの，又は全ての特徴は，他の任意の態様における何れかの，幾つかの，又は全ての特徴に対して，任意かつ適宜の組み合わせをもって適用することができる。
【００２３】
本考案の何れかの態様に関連して記載され，かつ特定される各種特徴の特定の組み合わせは，個別的に実施し，及び／又は供給し，及び／又は使用することができる点に留意されたい。
【図面の簡単な説明】
【００２４】
以下，添付図面を参照しながら本考案について更に例示的に記述する。
【図１】本考案の一実施形態に係るロータリーダンパの斜視図である。
【図２】図１に示すロータリーダンパの代替的な斜視図である。
【図３】図１に示すロータリーダンパの頂面図である。
【図４】図１に示すロータリーダンパの底面図である。
【図５】図１に示すロータリーダンパの側面図である。
【図６】民生電子装置の部分に取り付けた図１のロータリーダンパの頂面図である。
【考案を実施するための形態】
【００２５】
図１〜６は，民生電子装置に使用するためのロータリーダンパ１００を示す。ロータリーダンパは，特に，小型民生電子装置のドア，蓋又はその他の可動部の円滑な運動制御のために有用である。本明細書において，「小型民生電子装置」とは，部品を配置するための内部スペースが制約される装置を意味する。
【００２６】
ロータリーダンパ１００は，減衰流体を収める内部容積（図示せず）を有するハウジング１０２を備える。実施例において，減衰流体は粘性シリコーン液体である。ロータリーダンパ１００は，ハウジング１０２の内部容積をカバーするキャップ１０４を更に備える。キャップ１０４は，シャフト１０６を受け入れるための貫通孔を備える。シャフト１０６は，平歯車１０８を受け入れる第１端と，ハウジング１０２の内部容積内まで延在する第２端とを有する。平歯車１０８は，キーによりシャフト１０６上で保持される。このシャフトは，内部容積をシールして減衰流体の漏洩を防止するためのＯ−リングを収める凹部（図示せず）を備える。このＯ−リングは，シャフトをロータリーダンパ内に保持することもできる。ハウジング１０２の外面は，座ぐりねじを受け入れる座ぐり貫通孔１１２と，３つのタブ１１４，１１６及び，図２〜６に示される１１８とを備える。
【００２７】
図示のとおり，タブ１１０は，ハウジングから半径方向に延在し，平坦なプレート状に形成されている。図示の実施形態において，タブの高さ（すなわち，厚さ）は１．５ｍｍであってハウジングの高さの約５０％に相当し，タブはシャフト１０６の長手軸線から１０．５ｍｍだけ突出し，タブの幅は６ｍｍである。用途に応じて適当な寸法を選択できることは，言うまでもない。
【００２８】
係合ラグ１１４，１１６，１１８は伸長形状であり，係合ラグの長辺がハウジング１０２の外面に隣接するように配置される。図示の実施形態において，係合ラグは，長さが１．５ｍｍ，幅が０．５ｍｍ，厚さが１．０ｍｍである。各係合ラグは，隅肉付きコーナー部を有する。本実施形態において，隅肉部の半径は０．２５ｍｍであるが，用途に応じて適当な寸法を選択できることは，言うまでもない。
【００２９】
係合ラグ１１４，１１６，１１８は，ハウジング１０２の外面周りで周方向に配置される。本例において，第１係合ラグ１１４は，タブの長手軸線を０°とした場合に，ハウジング周りで約１０５°に配置される。第２ラグ１１８はハウジング周りで約１９５°に配置され，第３ラグ１１６はハウジング周りで約３００°に配置される。言うまでもなく，係合ラグの正確な位置は，用途に応じて変更可能である。
【００３０】
図２はロータリーダンパ１００の底部を示し，図示のとおり，底面の縁部は面取りされている。本例において，面取りは，０．２ｍｍの４５°面取りである。
【００３１】
図６は，ロータリーダンパ１００が取り付けられた民生電子装置の部分６００を示す。図示のとおり，係合ラグ１１４，１１６，１１８は，それぞれ，部分６００の表面における突部６０２ａ及び６０２ｂ，６０４ａ及び６０４ｂ，並びに６０６ａ及び６０６ｂと係合して協働する。保持ねじ６０８がロータリーダンパ１００を部分６００に固定する。
【００３２】
ロータリーダンパ１００におけるハウジング１０２と一体的に形成される係合ラグ１１４，１１６，１１８を含むハウジング１０２と，キャップ１０４は，何れも９４ＨＢポリカーボネート（ＰＣ）から形成される。ハウジング１０２及びキャップ１０４は，例えば射出成形または圧縮成型により，この熱可塑性材料から別個に成型される。
【００３３】
ロータリーダンパ１００のシャフト１０６及び平歯車１０８は，何れも９４ＨＢポリオキシメチレン（ＰＯＭ）から形成される。シャフト１０６及び平歯車１０８は，例えば射出成形または圧縮成型により，この熱可塑性材料から別個に成型される。
【００３４】
使用にあたり，運動を制御すべき民生電子装置の部品は，ロータリーダンパの歯車１０８に対して，他の平歯車又は直動ラックギヤにより結合される。部品の運動によって歯車１０８が回転すると，シャフト１０６の第２端が，ハウジング１０２の内部容積内に収めた減衰流体内で回転して減衰される。本例において，２０ｒｐｍで回転するシャフトにより発生するトルクは，約４０±１０ｇｆ・ｃｍ（１ｇｆ・ｃｍは約０．０９８×１０−３Ｎ・ｍ）である。突部に対して作用する係合ラグ１１４，１１６，１１８と，保持ねじ６０８により民生電子装置に取り付けられるタブとの組み合わせが，ロータリーダンパに作用する部品の発生するトルクに抵抗する。
【００３５】
上述した特定の実施形態及び実施例は，本考案を限定するものではない。本考案の他の実施形態も想定可能であり，本明細書に開示した特定の実施形態及び実施例が網羅的なものではない点に留意されたい。
【図１】
0003221115.tif 000003
【図２】
0003221115.tif 000004
【図３】
0003221115.tif 000005
【図４】
0003221115.tif 000006
【図５】
0003221115.tif 000007
【図６】
0003221115.tif 000008
【手続補正書】
【提出日】平成31年2月28日(2019.2.28)
【手続補正１】
【補正対象書類名】実用新案登録請求の範囲
【補正対象項目名】全文
【補正方法】変更
【補正の内容】
【実用新案登録請求の範囲】
【請求項１】
民生電子装置用のロータリーダンパであって：
減衰流体を収める略円形断面のハウジングと；
ハウジングをカバーするキャップと；
第１端及び第２端を有し，第１端が平歯車を収めるように構成され，第２端がキャップを通過して減衰流体内まで延在するシャフトと，を備え；
該ハウジングはその外面が：
・取付け用ファスナを受け入れるための貫通孔を有するタブを備え，該タブは，シャフトの長手方向軸線に対して半径方向に延在し；
・少なくとも３つの係合ラグがシャフトの長手軸線に対して半径方向に延在し，該係合ラグは，民生電子装置における対応する突部と係合することにより，使用時におけるロータリーダンパの取付け用ファスナに対する回転運動を防止又は抑制する，ロータリーダンパ。
【請求項２】
請求項１に記載のロータリーダンパであって，前記タブ及び前記係合ラグが，前記ハウジングと一体的に形成されている，ロータリーダンパ。
【請求項３】
請求項１又は２に記載のロータリーダンパであって，前記ラグは，長辺が前記ハウジングの周方向に配置される伸長形状である，ロータリーダンパ。
【請求項４】
請求項３に記載のロータリーダンパであって，前記係合ラグの短辺に対する長辺の比が，約２〜約５である，ロータリーダンパ。
【請求項５】
請求項４に記載のロータリーダンパであって，前記係合ラグの短辺に対する長辺の比が，約２．５〜約３．５である，ロータリーダンパ。
【請求項６】
請求項１〜５の何れか一項に記載のロータリーダンパであって，前記係合ラグは，前記ハウジングの半径の約５％〜約２０％だけ，該ハウジングから突出する，ロータリーダンパ。
【請求項７】
請求項６に記載のロータリーダンパであって，前記係合ラグは，前記ハウジングの半径の約７．５％〜約１２．５％だけ突出する，ロータリーダンパ。
【請求項８】
請求項１〜７の何れか一項に記載のロータリーダンパであって，前記ハウジングの半径は，約３ｍｍ〜約１０ｍｍである，ロータリーダンパ。
【請求項９】
請求項１〜８の何れか一項に記載のロータリーダンパであって，前記ハウジングの半径は，約４ｍｍ〜約６ｍｍである，ロータリーダンパ。
【請求項１０】
請求項１〜９の何れか一項に記載のロータリーダンパであって，前記シャフトの長手軸線方向における前記係合ラグの高さが，前記ハウジングの高さの約２５％〜１００％である，ロータリーダンパ。
【請求項１１】
請求項１０に記載のロータリーダンパであって，前記シャフトの長手軸線方向における前記係合ラグの高さが，前記ハウジングの高さの約４０％〜６０％である，ロータリーダンパ。
【請求項１２】
請求項１〜１１の何れか一項に記載のロータリーダンパであって，前記タブにおける貫通孔が，皿孔ファスナを受け入れる皿孔である，ロータリーダンパ。
【請求項１３】
請求項１〜１２の何れか一項に記載のロータリーダンパであって，前記シャフトが，平歯車上のキー溝と係合させるための少なくとも１つのキーを有する，ロータリーダンパ。
【請求項１４】
請求項１〜１３の何れか一項に記載のロータリーダンパであって，前記シャフトの第１端に結合する平歯車を更に備える，ロータリーダンパ。
【請求項１５】
請求項１４に記載のロータリーダンパであって，前記平歯車がインボリュート歯型を有する，ロータリーダンパ。
【請求項１６】
請求項１〜１５の何れか一項に記載のロータリーダンパであって，前記ハウジングが熱可塑性材料で形成されている，ロータリーダンパ。
【請求項１７】
請求項１６に記載のロータリーダンパであって，前記ハウジングがポリカーボネート材料で形成されている，ロータリーダンパ。
【請求項１８】
請求項１７に記載のロータリーダンパであって，前記ハウジングが９４ＨＢポリカーボネートで形成されている，ロータリーダンパ。
【請求項１９】
請求項１〜１８の何れか一項に記載のロータリーダンパであって，前記シャフトが熱可塑性材料で形成されている，ロータリーダンパ。
【請求項２０】
請求項１９に記載のロータリーダンパであって，前記シャフトがポリオキシメチレン材料で形成されている，ロータリーダンパ。
【請求項２１】
請求項２０に記載のロータリーダンパであって，前記シャフトが９４ＨＢポリオキシメチレンで形成されている，ロータリーダンパ。
【手続補正２】
【補正対象書類名】明細書
【補正対象項目名】００２１
【補正方法】変更
【補正の内容】
【００２１】
シャフトは熱可塑性材料，好適にはポリオキシメチレン材料，更に好適には９４ＨＢポリオキシメチレンで形成することができる。